(57)【要約】【課題】 放熱性能を大幅に向上させ比較的低い温度下で発光させ寿命を延長することができるＬＥＤ街灯と散熱モジュールの組立て構造を提供する。【解決手段】ＬＥＤ街灯は分隔板、上蓋板、光透過レンズ、ＬＥＤランプユニットからなり、上蓋板と光透過レンズは分隔板の上下両側に設置し、各ＬＥＤランプユニットは分隔板と光透過レンズが囲む空間内に設置し、分隔板上には複数の穿孔を開設する。ＬＥＤランプユニットは枠体とＬＥＤモジュールを含み、散熱モジュールは散熱体、サーモチューブ、温度均一板を含み、散熱体は該分隔板と該上蓋板が囲む空間内に設置し、該サーモチューブは該分隔板と該散熱体に穿設する放熱部と該分隔板下方に形成する受熱部を具え、該温度均一板はＬＥＤランプユニットの枠体上に固設し、しかもその２平面はそれぞれ該受熱部及び該ＬＥＤモジュールと相互に密着する。【選択図】  図７
0003126628.tif 000002
【実用新案登録請求の範囲】
【請求項１】
主にＬＥＤ街灯、複数のＬＥＤランプユニット、散熱モジュール、複数のサーモチューブ、複数の温度均一板を含み、
前記ＬＥＤ街灯は分隔板、上蓋板、光透過レンズを含み、該分隔板の上には複数の穿孔を開設し、該上蓋板は該分隔板上方を覆蓋連接し、設置空間を形成し、該光透過レンズは該分隔板下方を封鎖し、密閉空間を形成し、
前記該複数のＬＥＤランプユニットはそれぞれ該分隔板と該光透過レンズの密閉空間内部に設置され、該ＬＥＤランプユニットは枠体及び該枠体内部に固設するＬＥＤモジュールを含み、
前記散熱モジュールは散熱体を含み、該散熱体は該分隔板と該上蓋板の設置空間内部に設置され、
前記複数のサーモチューブは受熱端及び放熱端を具え、該放熱端は該分隔板の穿孔及び該散熱体に穿設し、該受熱端は該分隔板の下方に形成し、
前記複数の温度均一板はそれぞれ該ＬＥＤランプユニットの枠体上に固設し、該温度均一板の２平面は該サーモチューブの受熱端及び該ＬＥＤモジュールと相互に密着接触することを特徴とするＬＥＤ街灯と散熱モジュールの組立て構造。
【請求項２】
前記ＬＥＤ街灯はさらに前記光透過レンズ外周縁に嵌接し、さらに前記分隔板下方を封鎖する下枠フレームを含むことを特徴とする請求項１記載のＬＥＤ街灯と散熱モジュールの組立て構造。
【請求項３】
前記分隔板の底面のしかも前記各穿孔に対応する片側には、下向きに短柱及び長柱が突出、延伸し、別に前記枠体は１組の支柱を具え、該組の支柱の末端には固定孔を成型し、固定部品により該短、長柱上において穿設、固定することを特徴とする請求項１記載のＬＥＤ街灯と散熱モジュールの組立て構造。
【請求項４】
前記長柱の片側にはガードブロックを延伸し、該ガードブロックは該サーモチューブの受熱段内側と相互に接触することを特徴とする請求項３記載のＬＥＤ街灯と散熱モジュールの組立て構造。
【請求項５】
前記サーモチューブの受熱端はＶ字型を呈し、該放熱端は該受熱端の末端から上向きに直立延伸することを特徴とする請求項１記載のＬＥＤ街灯と散熱モジュールの組立て構造。
【請求項６】
前記散熱体は多数の散熱片が相互間隔を開けて積み重なり形成し、該各散熱片上には相互に対応する連通孔を設置し、該連通孔は該サーモチューブの放熱端上に嵌設することを特徴とする請求項１記載のＬＥＤ街灯と散熱モジュールの組立て構造。
【請求項７】
前記上蓋板は矩形頂板及び該頂板の周縁より下向きに延伸する複数の囲み板により構成し、該各囲み板上にはそれぞれ通風槽をプレス開設し、該各通風槽の上方には遮蓋片を形成することを特徴とする請求項１記載のＬＥＤ街灯と散熱モジュールの組立て構造。
【請求項８】
前記囲み板の底端には通孔を設置し、別に前記分隔板の頂点面周縁には該通孔に対応するネジを設置し、該ネジにより穿接し前記上蓋板を該分隔板上方に覆蓋、連接することを特徴とする請求項７記載のＬＥＤ街灯と散熱モジュールの組立て構造。
【請求項９】
前記ＬＥＤ街灯と散熱モジュールの組立て構造はさらに複数の防水ワッシャを含み、該防水ワッシャは該サーモチューブの外周縁と該分隔板の穿孔内壁周縁間に挟まれた状態で設置されることを特徴とする請求項１記載のＬＥＤ街灯と散熱モジュールの組立て構造。
【請求項１０】
前記防水ワッシャは円筒柱及び該円筒柱片側から外側へと拡張する環状突起を具え、該円筒柱は該サーモチューブの外周縁と該分隔板の穿孔内壁周縁間に挟まれた状態で設置され、該環状突起の底面は該分隔板の頂点面上に密着することを特徴とする請求項９記載のＬＥＤ街灯と散熱モジュールの組立て構造。
【考案の詳細な説明】
【技術分野】
【０００１】
本考案は一種のＬＥＤ街灯と散熱モジュールの組立て構造に関する。特に、散熱性能を大幅に向上させたＬＥＤ街灯と散熱モジュールの組立て構造に係る。
【背景技術】
【０００２】
ＬＥＤは高輝度、節電、寿命が長い等の多くの長所を具えているため、照明に広く応用されている。通常は多数のＬＥＤランプを連結しＬＥＤモジュールを組成し、複数のＬＥＤモジュールの直列或いは並列設置によりＬＥＤランプユニットを構成する。
こうして、広い範囲への照射と高輝度というニーズを満たすが、しかし、該ＬＥＤを戸外の照明装置に応用する場合には、外気にさらされるという使用特性のため、一般の室内照明に比べ、密封性、防水性、防塵性、散熱等への要求が高くなる。しかも、ＬＥＤランプは耐熱性が比較的劣るため、通常は散熱モジュールにより各ＬＥＤランプが生じる熱エネルギーを外に出し、各ＬＥＤランプが比較的低い温度で発光できるようにしている。このようにＬＥＤは使用上の不足点があり、いかにして適切な構造設計により、ＬＥＤ街灯と散熱モジュールを組み立てるかは、重要な研究課題となっている。
公知のＬＥＤ街灯の散熱構造は、中華民国実用新案登録証書M272940号（特許文献１）に示すように、主に上台、アルミ製分隔板、複数のＬＥＤ灯を含む。該上台の背面には上向きに延伸する複数の相互に平行な散熱片を成型し、該分隔板の片側平面は該上台の内側面中間位置に密着接触し、反対側平面には該ＬＥＤ灯を固定連接し、こうしてＬＥＤ街灯の散熱構造を構成するものである。
【特許文献１】中華民国実用新案登録Ｍ２７２９４０号
【特許文献２】特開２００5−５６８０７号公報
【考案の開示】
【考案が解決しようとする課題】
【０００３】
公知構造には以下の欠点があった。
すなわち、公知構造は、各ＬＥＤランプとアルミ製分隔板の密着接触によってのみ熱伝導作用を達成するため、その伝導速度は非常に緩慢で、よって導出できる熱エネルギーは限定される。特に、高輝度のＬＥＤランプでは現階段におけるＬＥＤ街灯の散熱需要を満たすことはできず、さらに、その導熱性能や散熱性能が低ければ、内部のＬＥＤランプのライフサイクルも大幅に短くなってしまう。
本考案は、上記構造の問題点を解決したＬＥＤ街灯と散熱モジュールの組立て構造を提供するものである。
【課題を解決するための手段】
【０００４】
上記課題を解決するため、本考案は下記のＬＥＤ街灯と散熱モジュールの組立て構造を提供する。
それは、主にＬＥＤ街灯と散熱モジュールの組立て構造を提供し、それはサーモチューブ、温度均一板、ＬＥＤモジュールの密着接触により、各ＬＥＤモジュールが生じる熱エネルギーを迅速に導出し、全体的導、散熱性能を大幅に向上させ、これによりＬＥＤランプは比較的低い温度下で発光可能となり、そのライフサイクルを延長することができる。
【０００５】
すなわち、請求項１の考案は、主にＬＥＤ街灯、複数のＬＥＤランプユニット、散熱モジュール、複数のサーモチューブ、複数の温度均一板を含み、前記ＬＥＤ街灯は分隔板、上蓋板、光透過レンズを含み、該分隔板の上には複数の穿孔を開設し、該上蓋板は該分隔板上方を覆蓋連接し、設置空間を形成し、該光透過レンズは該分隔板下方を封鎖し、密閉空間を形成し、前記該複数のＬＥＤランプユニットはそれぞれ該分隔板と該光透過レンズの密閉空間内部に設置され、該ＬＥＤランプユニットは枠体及び該枠体内部に固設するＬＥＤモジュールを含み、前記散熱モジュールは散熱体を含み、該散熱体は該分隔板と該上蓋板の設置空間内部に設置され、前記複数のサーモチューブは受熱端及び放熱端を具え、該放熱端は該分隔板の穿孔及び該散熱体に穿設し、該受熱端は該分隔板の下方に形成し、前記複数の温度均一板はそれぞれ該ＬＥＤランプユニットの枠体上に固設し、該温度均一板の２平面は該サーモチューブの受熱端及び該ＬＥＤモジュールと相互に密着接触することを特徴とするＬＥＤ街灯と散熱モジュールの組立て構造である。
【０００６】
請求項２の考案は、前記ＬＥＤ街灯はさらに前記光透過レンズ外周縁に嵌接し、さらに前記分隔板下方を封鎖する下枠フレームを含むことを特徴とする請求項１記載のＬＥＤ街灯と散熱モジュールの組立て構造である。
請求項３の考案は、前記分隔板の底面のしかも前記各穿孔に対応する片側には、下向きに短柱及び長柱が突出、延伸し、別に前記枠体は１組の支柱を具え、該組の支柱の末端には固定孔を成型し、固定部品により該短、長柱上において穿設、固定することを特徴とする請求項１記載のＬＥＤ街灯と散熱モジュールの組立て構造である。
請求項４の考案は、前記長柱の片側にはガードブロックを延伸し、該ガードブロックは該サーモチューブの受熱段内側と相互に接触することを特徴とする請求項３記載のＬＥＤ街灯と散熱モジュールの組立て構造である。
請求項５の考案は、前記サーモチューブの受熱端はＶ字型を呈し、該放熱端は該受熱端の末端から上向きに直立延伸することを特徴とする請求項１記載のＬＥＤ街灯と散熱モジュールの組立て構造である。
請求項６の考案は、前記散熱体は多数の散熱片が相互間隔を開けて積み重なり形成し、該各散熱片上には相互に対応する連通孔を設置し、該連通孔は該サーモチューブの放熱端上に嵌設することを特徴とする請求項１記載のＬＥＤ街灯と散熱モジュールの組立て構造である。
請求項７の考案は、前記上蓋板は矩形頂板及び該頂板の周縁より下向きに延伸する複数の囲み板により構成し、該各囲み板上にはそれぞれ通風槽をプレス開設し、該各通風槽の上方には遮蓋片を形成することを特徴とする請求項１記載のＬＥＤ街灯と散熱モジュールの組立て構造である。
請求項８の考案は、前記囲み板の底端には通孔を設置し、別に前記分隔板の頂点面周縁には該通孔に対応するネジを設置し、該ネジにより穿接し前記上蓋板を該分隔板上方に覆蓋、連接することを特徴とする請求項７記載のＬＥＤ街灯と散熱モジュールの組立て構造である。
請求項９の考案は、前記ＬＥＤ街灯と散熱モジュールの組立て構造はさらに複数の防水ワッシャを含み、該防水ワッシャは該サーモチューブの外周縁と該分隔板の穿孔内壁周縁間に挟まれた状態で設置されることを特徴とする請求項１記載のＬＥＤ街灯と散熱モジュールの組立て構造である。
請求項１０の考案は、前記防水ワッシャは円筒柱及び該円筒柱片側から外側へと拡張する環状突起を具え、該円筒柱は該サーモチューブの外周縁と該分隔板の穿孔内壁周縁間に挟まれた状態で設置され、該環状突起の底面は該分隔板の頂点面上に密着することを特徴とする請求項９記載のＬＥＤ街灯と散熱モジュールの組立て構造である。
【考案の効果】
【０００７】
本考案によれば、ＬＥＤ街灯と散熱モジュールの組立て構造を提供し、該構造のサーモチューブ、温度均一板、ＬＥＤモジュールの密着接触により、各ＬＥＤモジュールが生じる熱エネルギーを迅速に導出し、全体的な導熱性能や散熱性能を大幅に向上させ、これによりＬＥＤランプは比較的低い温度下で発光することとなり、そのライフサイクルを延長することができる。
【考案を実施するための最良の形態】
【０００８】
以下、本考案の好適の実施例を図面に基づいて説明する。
図１〜４に示すように、本考案の実施例のＬＥＤ街灯と散熱モジュールの組立て構造は主にＬＥＤ街灯1及び散熱モジュール4からなる。
該ＬＥＤ街灯1は、矩形分隔板11、該分隔板11上方を覆蓋し設置空間を形成する上蓋板12(図５参照)、該分隔板11下方を封鎖する光透過レンズ14、該分隔板11と該光透過レンズ14が囲む密閉空間に設置する複数のＬＥＤランプユニット20から構成される。
本実施例は、図２〜図５に示すように、下枠フレーム13により該光透過レンズ14外周縁に嵌接し、該分隔板11下方の下枠フレーム13を封鎖し、該分隔板11上には複数の穿孔111を開設する。しかも、その頂点面外周縁位置には上向きに複数のネジ112が突出する。また、該分隔板11の底面は該各穿孔111の前方に対応し、それぞれ下向きに短柱113及び長柱114が突出する。該各長柱114の片側にはそれぞれガードブロック115を延伸する。該ＬＥＤランプユニット20は枠体21及び該枠体21内部に設置するＬＥＤモジュール22を含む。
前記枠体21は、円錐筒211及び該円錐筒211一端から外へと延伸する２組の支柱212を具え、内１組の支柱212の末端には固定孔213を形成する。ＬＥＤモジュール22は回路板及び複数のＬＥＤランプにより構成し、前記円錐筒211の頂端内部位置に設置される。
【０００９】
前記散熱モジュール4は散熱体40、複数のサーモチューブ50、複数の温度均一板60を含む。該散熱体40は由多数の散熱片41が相互に間隔を開けて積み重なり成し、該各散熱片41上には相互に対応する連通孔42を設置する。該散熱体40は該分隔板11と該上蓋板12の設置空間内部に設置する。
前記サーモチューブ50は「Ｖ」字型の受熱端51及び該受熱端51の末端から上向きに直立延伸する２個の放熱端52を具える。該放熱端52は該分隔板11の穿孔111及び該散熱体40の連通孔42中に穿設し、該受熱端51は該分隔板11下方に形成される。
前記温度均一板60はそれぞれ該枠体21の支柱212内側上に固設され、しかもその片側平面とサーモチューブ50の受熱端51は相互に密着接触し(図４参照)、反対側平面は該ＬＥＤランプユニット20の各ＬＥＤモジュール22と密着接触。該温度均一板60は上板及び該上板下方に対応し覆蓋する下板を具え、該上、下板の間には真空空間を形成し、毛細組織及び作業流体を充填する。これにより気相、液相の熱伝導メカニズムを利用し、迅速な熱伝導効果を達成する。
この他、本考案の実施例は、さらに複数の防水ワッシャ7を含む。該防水ワッシャ7は円筒柱71及び該円筒柱71片側から外側へと拡張する環状突起72を含む。該円筒柱71は該サーモチューブ50の外周縁と該分隔板11の穿孔111内壁周縁の間に挟んだ状態で設置し、該環状突起72の底面は該分隔板11の頂点面上に接触し、湿気や雨水の侵入を防止する。
【００１０】
組合せ時には、先ず該各防水ワッシャ7を該分隔板11の穿孔111中に入れ、次に該各サーモチューブ50の放熱端52を該分隔板11の底面から上向きに該各防水ワッシャ7を貫通させる。さらに該散熱体40の連通孔42を該サーモチューブ50の放熱端52に対応させ嵌接し、これにより該散熱体40を該分隔板11の上方に形成する。この時、該サーモチューブ50の受熱端51内側表面は該各長柱114のガードブロック115底面に密着し、該ＬＥＤランプユニット20の枠体21と該温度均一板60の組合せ構造は該サーモチューブ50の受熱端51に対応し設置され、該枠体21の固定孔213は該分隔板11の短、長柱113、114端面にそれぞれ対応する。さらに該ネジ等の固定部品により螺固し、該温度均一板60の頂点面と該受熱端51の外側面を緊密に密着させる。こうして該ＬＥＤ街灯1と該散熱モジュール4の組合せを達成する。
【００１１】
続いて図５、６に示すように、前記上蓋板12は該矩形頂板121及び該頂板121の周縁より下向きに延伸する複数の囲み板122により構成し、該各囲み板122上にはそれぞれ通風槽123をプレス開設し、該各通風槽123の上方には遮蓋片124を形成する。別に該各囲み板122の底端には平板を水平に延伸し、該平板上には該分隔板11のネジ112に対応する通孔125を設置し、該ネジにより該上蓋板12を該分隔板11上方に覆蓋し穿設する。該下枠フレーム13は矩形枠体で、その中間位置には該光透過レンズ14を設置する設置槽を成型し、該下枠フレーム13と該光透過レンズ14はピボット及びフック(図示なし)により該分隔板11の下方において結合される。
【００１２】
次に、図７に示すように、本考案の実施例はその使用時、該ＬＥＤランプユニット20に電流を通すと、該各ＬＥＤモジュール22(図２参照)のランプは発光し、熱エネルギーを発生する。該熱エネルギーは該温度均一板60の気液相熱伝導メカニズムにより、迅速に該温度均一板60の頂点面に導入され、該サーモチューブ50の受熱部51に伝導され、該受熱部51により該放熱部52に導入される。続いて該放熱部52と該散熱体40の密着作用により、該熱エネルギーは該各散熱片41より拡散し導出され、さらに該上蓋板12の通気槽123と外部気流の相互通行により気体の熱対流効果が起き、該各散熱片41の熱エネルギーは該上蓋板12外部に導出される。こうして該各ＬＥＤモジュール22は比較的低い温度下で発光することとなり、そのライフサイクルを延長することができる。
なお、本考案の特徴を損なうものでなければ、上記実施例に限定されないことは勿論である。
【図面の簡単な説明】
【００１３】
【図１】本考案の実施例の局部立体分解図である。
【図２】本考案の実施例の別方向の局部立体分解図である。
【図３】図２の組合せ拡大断面図である。
【図４】図２の別方向の組合せ拡大断面図である。
【図５】本考案と実施例の上蓋板、下枠フレーム及び光透過レンズの立体分解図である。
【図６】本考案の実施例での上蓋板、下枠フレーム及び光透過レンズの組合せ指示図である。
【図７】本考案の実施例の使用状態断面図である。
【符号の説明】
【００１４】
1  ＬＥＤ街灯
11 分隔板
111  穿孔
112  ネジ
113  短柱
114  長柱
115  ガードブロック
12  上蓋板
121  頂板
122  囲み板
123  通気槽
124  遮蓋片
125  通孔
13  下枠フレーム
14  光透過レンズ
20  ＬＥＤランプユニット
21 枠体
211     円錐筒
212  支柱
213  固定孔
22  ＬＥＤモジュール
4  散熱モジュール
40  散熱体
41  散熱片
2  連通孔
50  サーモチューブ
51  受熱部
52  放熱部
60  温度均一板
7  防水ワッシャ
71  円筒柱
72  環状突起
【図１】
0003126628.tif 000003
【図２】
0003126628.tif 000004
【図３】
0003126628.tif 000005
【図４】
0003126628.tif 000006
【図５】
0003126628.tif 000007
【図６】
0003126628.tif 000008
【図７】
0003126628.tif 000009